(57)【要約】【課題】      本発明は、変更された商品情報の変更日時およびオペレータを特定することができる情報処理装置を提供することを目的とする。  【解決手段】  入力部２６と、この入力部２６により入力された操作者を特定する固有のコードを認証する認証手段と、を備えた情報処理装置において、複数の商品情報を記憶した商品ファイル３１と、入力部２６により前記商品ファイル３１に記憶されている商品情報を変更する変更手段と、を有し、この変更手段により変更された商品情報を前記商品ファイル３１に更新して記憶するとともに、前記変更された商品情報を変更履歴情報として記憶する変更履歴記憶部３２を設け、この変更履歴記憶部３２に記憶された前記変更履歴情報に操作者を特定する固有のコードを含むことを特徴とする情報処理装置にある。  【選択図】    図２
2007233451.tif 000002
【特許請求の範囲】
【請求項１】
入力手段と、この入力手段により入力された操作者を特定する固有のコードを認証する認証手段と、を備えた情報処理装置において、
複数の商品情報を記憶した商品情報記憶手段と、
前記入力手段により前記商品情報記憶手段に記憶されている商品情報を変更する変更手段と、を有し、
この変更手段により変更された商品情報を前記商品情報記憶手段に更新して記憶するとともに、前記変更された商品情報を変更履歴情報として記憶する変更履歴記憶手段を設け、この変更履歴記憶手段に記憶された前記変更履歴情報に前記操作者を特定する固有のコードを含むことを特徴とする情報処理装置。
【請求項２】
時計手段を備え、前記変更履歴記憶手段に変更日時を含むことを特徴とする請求項1記載の情報処理装置。
【請求項３】
表示手段を備え、管理者を特定する固有のコードを認証する前記認証手段と、この認証手段により管理者として認証された場合には、前記変更履歴記憶手段に記憶された前記変更履歴情報を読み出して前記表示手段に表示させるようにしたことを特徴とする請求項１または２記載の情報処理装置。
【請求項４】
管理者を特定する固有のコードを認証する前記認証手段と、この認証手段により管理者として認証された場合には、前記変更履歴記憶手段に記憶された情報を外部記憶部に転送するように制御する転送制御手段を備えたことを特徴とする請求項１または２記載の情報処理装置。
【請求項５】
前記商品情報記憶手段に記憶された商品情報に基づいて印字するプリンタであることを特徴とする請求項１ないし４何れかの一記載の情報処理装置。
【発明の詳細な説明】
【技術分野】
【０００１】
本発明は、情報処理装置に関し、特に複数の商品ファイルの情報を記憶された情報処理装置に関する。
【背景技術】
【０００２】
食品などの商品に貼るラベルを発行するラベルプリンタ（以下、適宜「プリンタ」と称する）が盛んに使用されている。
プリンタの制御部には、商品名、価格、内容量や日付などの商品情報が１ファイルとして複数のファイルを記憶された商品ファイルが制御部の不揮発性記憶部に記憶され、所望の商品情報を商品ファイルから呼び出してラベルに印字発行することができる。
このように印字発行するプリンタは、価格、内容量あるいは製造日や消費期限などの日付を変更する場合がある。しかし、変更した商品情報を不注意により誤って変更して印字発行する場合があり、何時変更したのか判らないことがある。また、操作者が複数いる場合には、誰が変更したか判らないことがある。
そこで、加工日などの日付を変更した場合には、変更した情報を履歴として管理するようにしたプリンタがある。（特許文献１）
しかし、変更した日付のみをログとして履歴管理しているので、複数の商品ファイルに対して、どの商品ファイルを変更して印字発行したのか特定できないことがある。
また、変更された商品情報は、何時の時点で誰が変更さしたか特定できないことがある。
【０００３】
【特許文献１】特開２００２−１７２８２０号公報
【発明の開示】
【発明が解決しようとする課題】
【０００４】
本発明の目的は、変更された商品情報を一つの商品ファイル毎に変更した履歴を管理する情報処理装置を提供することを目的とする。
また、変更された商品情報の変更日時およびオペレータを特定することができる情報処理装置を提供することを目的とする。
さらにまた、変更した商品情報の履歴を管理することで、不注意での操作ミスを未然に防止することができる情報処理装置を提供することを目的とする。
【課題を解決するための手段】
【０００５】
本発明は、オペレータを認証した後に装置を操作することに着目したので、請求項１記載の発明の要旨は、入力手段と、この入力手段により入力された操作者を特定する固有のコードを認証する認証手段と、を備えた情報処理装置において、複数の商品情報を記憶した商品情報記憶手段と、前記入力手段により前記商品情報記憶手段に記憶されている商品情報を変更する変更手段と、を有し、この変更手段により変更された商品情報を前記商品情報記憶手段に更新して記憶するとともに、前記変更された商品情報を変更履歴情報として記憶する変更履歴記憶手段を設け、この変更履歴記憶手段に記憶された前記変更履歴情報に前記操作者を特定する固有のコードを含むことを特徴とする情報処理装置にある。
また請求項２記載の発明の要旨は、時計手段を備え、前記変更履歴記憶手段に変更日時を含むことを特徴とする請求項1記載の情報処理装置にある。
また請求項３記載の発明の要旨は、表示手段を備え、管理者を特定する固有のコードを認証する前記認証手段と、この認証手段により管理者として認証された場合には、前記変更履歴記憶手段に記憶された前記変更履歴情報を読み出して前記表示手段に表示させるようにしたことを特徴とする請求項１または２記載の情報処理装置にある。
また請求項４記載の発明の要旨は、管理者を特定する固有のコードを認証する前記認証手段と、この認証手段により管理者として認証された場合には、前記変更履歴記憶手段に記憶された情報を外部記憶部に転送するように制御する転送制御手段を備えたことを特徴とする請求項１または２記載の情報処理装置にある。
また請求項５記載の発明の要旨は、前記情報処理装置は、前記商品情報記憶手段に記憶された商品情報に基づいて印字するプリンタであることを特徴とする請求項１ないし４何れかの一記載の情報処理装置にある。
【発明の効果】
【０００６】
本発明の情報処理装置は、変更された商品情報を一つの商品ファイル毎に履歴管理することができ容易に変更履歴を確認することができる。また、変更された商品情報の変更日時およびオペレータを特定することができ、改ざんの防止になる。
さらに、変更した商品情報の履歴を管理することで、操作者は注意を払うので操作ミスを未然に防止することができる。
【発明を実施するための最良の形態】
【０００７】
本発明の実施の形態を図１ないし図７に基づいて説明する。
図１は本発明のラベルプリンタの一例を示した概略構成図であり、図２は図1の制御部の一例を示したブロック図であり、図３は操作表示部の一例を示した概略構成図であり、図４は商品情報の一例を示した商品ファイルの説明図である。
【０００８】
本発明の情報処理装置の好適な例としてラベルプリンタで説明する。
ラベルプリンタ１は主に、用紙供給部２と、ピッチ検出部３と、印字部４と、制御部５と、操作表示部６を有している。
用紙供給部２には、帯状台紙１５に所定の間隔で複数のラベル１６を仮着されたラベル連続体１７をロール状にしたラベル連続体１７を回転可能に保持する用紙供給軸７を設け、案内ローラ８を介して後述する印字部４に繰出し可能にしてある。
ピッチ検出部３は、所定の光を出射する図示せぬ発光部と発光部から出射された光を帯状台紙１５からの反射光を受光し、受光した光の強度（単位時間当たりの受光量）に対応する電気信号を出力する図示せぬ受光部とからなり、帯状台紙１５の裏面側に発光部と受光部を配し、帯状台紙１５の裏面に印刷等によって形成された図示せぬ基準マーク（黒色の矩形のマーク）を、受光部の受光量に基づいて検出する光反射センサ９がラベル連続体１７の搬送路の下方に配置されている。
光反射センサ９は、基準のマークの検出結果に基づいて、ラベル１６の印字基準位置などを設定することができるように後述する制御部５で制御するようにしてある。
尚、この実施の形態のラベル１６は、感熱により発色する感熱発色層が形成されたラベル１６（サーマル紙）で説明する。
【０００９】
印字部４は、プラテンローラ１０とサーマルヘッド１１が設けられるとともに、サーマルヘッド１１はプラテンローラ１０に対し接離自在に設けられている。また、プラテンローラ１０は、タイミングベルト（図示せず）を介してステッピングモータ１２に接続され、ステッピングモータ１２の駆動に伴って、プラテンローラ１０が回転自在に駆動するようにしてある。
また、プラテンローラ１０とサーマルヘッド１１とにより挟持されたラベル連続体１７は、制御部５からの印字信号によりプラテンローラ１０が駆動するとともに、サーマルヘッド１１が選択的に発熱体（図示せず）を発熱させることにより、ラベル１６の感熱発色層を発色させて文字・記号やバーコードなど印字するようにしてある。
【００１０】
図２は、図１の制御部５の構成例を示すブロック図である。
同図に示すように、制御部５は、プリンタ制御プログラム、各種固定データ、制御テーブルデータ、ＩＯ定数、モータ制御プログラム等を記憶するＲＯＭ（ｒｅａｄ  ｏｎｌｙ  ｍｅｍｏｒｙ）２１と、ＲＯＭ２１に記憶されている各種制御プログラムに従って動作し、各部を制御するＣＰＵ（ｃｅｎｔｒａｌ  ｐｒｏｃｅｓｓｉｎｇ  ｕｎｉｔ）２０と、ＣＰＵ２０が動作する上で必要となる各種データを記憶するワークエリア、および印字データが展開される印字展開エリアを有するＲＡＭ（ｒａｎｄｏｍ  ａｃｃｅｓｓ  ｍｅｍｏｒｙ）と２２、プラテンローラ１０を回転させることにより、ラベル連続体１７を搬送方向に搬送駆動するステッピングモータ１２と、ステッピングモータ１２を制御するモータ制御回路２３と、ＣＰＵ２０の制御下、ＲＡＭ２２の印字展開エリアに展開された印字すべき文字、記号、およびバーコードなどの印字データに対応する制御信号を生成し、生成した制御信号をサーマルヘッド１１に供給して印字動作を行わせるヘッド制御回路２４と、ＣＰＵ２０の制御下、光反射センサ９の図示せぬ発光部を制御し、光を出射させるとともに、図示せぬ受光部から出力される電気信号を受け取り、ディジタルのデータに変換して印字基準位置としてＣＰＵ２０に供給するセンサ制御回路２５と、ＣＰＵ２０の制御下、入力部２６から入力された信号をＩＦ（インタフェース）２８を介してＣＰＵ２０に供給し、ＣＰＵ２０からＩＦ（インタフェース）２８を介して表示データを表示する表示部２７と、ＣＰＵ２０の制御下、ＩＦ（インタフェース）３０を介してデータを書き込むメモリカード２９と、を備えている。
【００１１】
また、商品名、価格、消費期限、内容量や日付などの商品情報が１ファイルとして複数のファイルを記憶した商品ファイル３１と、変更履歴情報３２と、が不揮発性記憶部３３に記憶されるようにしてある。また不揮発性記憶部３３には、図示しないが、ラベルプリンタを操作する複数の操作者（以下、適宜「オペレータ」という）の固有のコードおよびパスワードと、管理者の固有のコードおよびパスワードと、を記憶した認証ファイルを有している。
さらに制御部５には、時計回路３４を備えており、年月日および時分までの日時情報を時計回路３４から呼び出して表示部２７に表示させることができる。また、日時情報を印字あるいは更新履歴情報として記憶させることができる。
【００１２】
操作表示部６には主に、入力部２６と表示部２７とを有している。入力部２６は、数字や文字を入力する入力キー２６ａと、各上下左右の矢印キー２６ｂ、印字発行キー２６ｃ、認証キー２６ｄ、戻りキー２６ｅ、確定キー２６ｆ、ｙｅｓキー２６ｇ、ｎｏキー２６ｈが配置されている。
表示部２７は、ラベルプリンタ１の動作状況、エラー情報、商品情報、変更履歴情報などが表示可能な表示画面２７ａを有している。
【００１３】
次に、図４に基づいて商品ファイルについて説明する。
商品ファイル３１には、商品番号欄３１ａ、品名欄３１ｂ、価格欄３１ｃ、消費期限欄３１ｄ、内容量欄３１ｅなどから構成されている。
商品番号欄３１ａには、商品を呼び出すコードとしての数字が登録されるようにしてあり、品名欄３１ｂは、商品の品名が登録されるようにしてあり、価格欄３１ｃは、品名に対する通常の価格が登録され、消費期限欄３１ｄは、商品の消費期限が登録され、内容量欄３１ｅは、商品の重量または個数などとして登録されるようにしてある。
例えば、商品番号欄３１ａには「１０１」「１０２」・・・などが登録されている。
商品番号の「１０１」には、品名「ＡＡＡ」、価格「５５０円」、消費期限「３日」、内容量「３００ｇ」などが登録されてある。
また、商品番号の「１０２」には、品名「ＡＢＣ」、価格「３８０円」、消費期限「５日」、内容量「６本」などが登録されてある。
商品ファイル３１は、商品番号毎に品名、価格、消費期限、内容量などの商品情報が１ファイルとして関連付けさせて登録され、複数のファイルが登録することができる。
【００１４】
オペレータは、商品ファイル３１から所望の印字するファイルを呼び出すことができる。
例えば、品名「ＡＡＡ」を印字するときは、商品番号である「１０１」を入力キー２６ａから「１０１」を入力する。「１０１」を入力すると表示画面２７ａに品名「ＡＡＡ」、価格「５５０円」、内容量「３００ｇ」および消費期限日が表示される。消費期限日は、３日後の日付が表示される。表示画面２７ａには、印字する発行枚数を入力することができるようにしてある。
オペレータは、印字発行枚数を入力キー２６ａから入力して、印字発行キー２６ｃを押すことにより、入力した枚数に対応したラベル１６が印字発行されるようにすることができる。
【００１５】
次に、図５のオペレータが操作するフローチャートに基づいてオペレータモードについて説明図する。
図５のオペレータ
ステップＳ１では、ラベルプリンタ１の電源投入後にオペレータの固有のコードおよびパスワードを入力キー２６ａにより入力し認証キー２６ｄを押し、ステップＳ２に進む。
ステップＳ２では、ステップＳ１で入力されたオペレータの固有のコードおよびパスワードを認証ファイルに登録されているオペレータの固有のコードおよびパスワード    を比較し、一致したか否かを判断する。（認証手段）
オペレータの固有のコードおよびパスワードが一致したと判断した場合には、ステップＳ３に進み、一致しないと判断した場合にはステップＳ１に戻るようにしてある。
【００１６】
ステップＳ３では、表示画面２７ａに印字発行モードまたは変更モード（商品ファイル）の何れかを選択する画面が表示される。
オペレータは、矢印キー２６ｂにより印字発行モードまたは変更モードの何れかに選択することができる。印字発行モードを選択するとステップＳ7に進み、前述したようにラベル１６に印字発行することができ、また変更モードを選択するとステップＳ４に進む。
ここでは、変更モードを選択して、ステップＳ４に進む。ステップＳ４では、商品ファイル３１の変更画面が表示画面２７ａに表示される。変更する商品番号を入力キー２６ａから入力することにより、入力した商品番号に対応するファイルが呼び出されて表示画面２７ａに商品情報が表示される。この変更モードにおいて、変更項目として品名、価格、消費期限、内容量などの情報を変更することができる。（変更手段）
例えば、商品番号「１０１」入力することにより、商品番号「１０１」に対応する商品情報が表示画面２７ａに表示され、価格を「５５０円」を「４５０円」に変更したい場合には、「４５０円」を入力キー２６ａから入力して、ステップＳ５に進む。
【００１７】
ステップＳ５では、変更した商品情報を確認して確認キー２６ｆを押すことによりステップＳ６に進む。尚、戻りキー２６ｅを押すことによりステップＳ３に戻り、再度商品情報を変更することができる。
ここで、確認キー２６ｆを押してステップＳ６に進む。ステップＳ６では、変更した商品番号に関連した商品情報（ファイル）、オペレータの固有のコードおよび変更した変更日時を含む変更履歴情報３５が変更履歴情報部３２に登録される。
また、変更した商品番号に関連した商品情報も商品ファイル３１に更新され、更新された情報に基づいて印字発行モードで印字発行することができる。
【００１８】
このように、商品情報を変更した場合には、変更後の商品情報（ファイル）、変更日時およびオペレータの固有のコードを変更履歴情報３５として不揮発性記憶部３３の変更履歴情報部３２に記憶することができる。変更履歴情報３２は、変更モードにおいて商品ファイル３１が変更される毎に記憶されて変更履歴として記憶することができる。
尚、変更履歴情報３５は、管理者のみが確認することができ、オペレータが確認することができないように設定されている。
【００１９】
図６に基づいて変更履歴情報について説明する。
変更履歴情報３５は、不揮発性記憶部３３の変更履歴情報部３２に記憶することができる。
変更履歴情報３５は、変更日時欄３６、商品番号欄３６ａ、品名欄３６ｂ、価格欄３６ｃ、消費期限欄３６ｄ、内容量欄３６ｅ、オペレータコード欄３７などから構成されている。
変更日時欄３６には、商品情報が変更された日時が記憶することができる。
商品番号欄３６ａ、品名欄３６ｂ、価格欄３６ｃ、消費期限欄３６ｄ、内容量欄３６ｅ、は、変更後の商品情報を記憶することができる。
オペレータコード欄３７は、商品情報を変更したオペレータの固有のコードを記憶することができる。この固有のコードは、オペレータが認証したときの固有のコードが記憶される。
例えば、変更日時欄３６には、「２００６０２０１  １３：３６」と記憶され、商品情報として変更された価格「４５０円」が記憶され、オペレータコード欄３７に、「００３」が記憶されている。
【００２０】
次に、図７の管理者が操作するフローチャートに基づいて管理者モードについて説明をする。
ステップＳ１０では、ラベルプリンタ１の電源投入後に管理者の固有のコードおよびパスワードを入力キー２６ａにより入力し認証キー２６ｄを押し、ステップＳ１１に進む。
ステップＳ１１では、ステップＳ１０で入力された管理者の固有のコードおよびパスワードと、認証ファイルに登録されている管理者の固有のコードおよびパスワード    を比較し、一致したか否かを判断する。（認証手段）
管理者の固有のコードおよびパスワードが一致したと判断した場合には、ステップＳ１２に進み、一致しないと判断した場合にはステップＳ１０に戻るようにしてある。
ステップＳ１１で管理者の固有のコードおよびパスワードが一致した場合には、予め登録した管理者であることをラベルプリンタが認識することができきる。
【００２１】
ステップＳ１２では、表示画面２７ａに印字発行モードまたは変更履歴モードの何れかを選択する画面が表示される。
管理者は、矢印キー２６ｂにより印字発行モードまたは変更履歴モードの何れかに選択することができる。
印字発行モードを選択するとステップＳ１５に進み印字発行処理をすることができ、前述したようにラベル１６に印字発行することができ、変更履歴モードを選択するとステップＳ１３に進む。
【００２２】
ステップＳ１３では、変更履歴モードが表示画面２７ａに表示される。
変更履歴モードの表示画面２７ａでは、変更履歴情報を表示画面２７ａに表示する「変更履歴情報表示？」と、メモリカード２９に変更履歴情報３２を転送する「変更履歴情報転送？」が表示され、何れかを矢印キー２６ｂにより選択することができる。
表示画面２７ａに表示された「変更履歴情報表示？」を選択すると、ステップＳ１６に進み、変更履歴情報部３２から呼び出された変更履歴情報３５が表示画面２７ａに表示されステップＳ１７に進む。
ステップＳ１７では、表示画面２７ａには、変更履歴情報３５を転送するか否かをｙｅｓキー２６ｇまたはｎｏキー２６ｈにより選択することができる。
ｙｅｓキー２６ｇを押すと、ステップＳ１４に進み、ｎｏキー２６ｈを押すと終了する。
【００２３】
一方、ステップＳ１３で表示画面２７ａに表示された「変更履歴情報転送？」を選択すると、ステップＳ１４に進む。
ステップＳ１４では、不揮発性記憶部３３に記憶された変更履歴情報部３２から変更履歴情報３５がＩＦ３０を介してメモリカード２９に転送することができる。（転送制御手段）
変更履歴情報３５がメモリカード２９に全て記憶されると、転送完了した旨のメッセージが表示画面２７ａに表示され終了する。
【００２４】
変更履歴情報３５が記憶されたメモリカード２９は、ラベルプリンタ１から取り外すことができ、管理者は、メモリカード２９をラベルプリンタ１から取り外して、図示しないＰＣ（パソコン）などに接続して変更履歴情報３５を確認および管理することができる。
尚、メモリカード２９で説明したが、着脱可能な記憶部を備えたものであれば何れでもよい。
また、変更前の商品情報はＰＣに記憶されており、変更履歴情報３５と比較することができる。
【００２５】
この実施の形態での情報機器としてラベルプリンタで説明したが、装置の内部記憶部に登録された情報が変更するような機器であれば全てに適用することができる。例えば、ファクシミリ、コピー機、電話機など挙げられる。
また、文字や数字などをキー操作するように説明したが、表示部をタッチパネルにより構成し、タッチパネルで入力あるいは選択するようにしてもよい。
【００２６】
この実施の形態では、各構成部材の数、位置、形状等は上記実施の形態に限定されず、本発明を実施する上で好適な数、位置、形状等にすることができる。
なお、本発明が上記各実施の形態に限定されず、本発明の技術思想の範囲内において、実施の形態は適宜変更され得ることは明らかである。
【図面の簡単な説明】
【００２７】
【図１】図１は本発明のラベルプリンタの一例を示した概略構成図である。
【図２】同上、図２は図1の制御部の一例を示したブロック図である。
【図３】同上、図３は操作表示部の一例を示した概略構成図である。
【図４】同上、図４は商品情報の一例を示した商品ファイルの説明図である。
【図５】同上、オペレータが操作するフローチャートに基づいて説明するオペレータモードの説明図である。
【図６】同上、変更履歴情報について説明する説明図である。
【図７】同上、管理者が操作するフローチャートに基づいて説明する管理者モードの説明図である。
【符号の説明】
【００２８】
１      ラベルプリンタ（情報処理装置）
２      用紙供給部
３      ピッチ検出部    
４      印字部
５      制御部
６      操作表示部
２６      入力部（入力手段）
２７      表示部（表示手段）
２９      メモリカード
３１      商品ファイル（商品情報記憶手段）
３２      変更履歴情報部（変更履歴記憶手段）
３３      不揮発性記憶部
３４      時計回路（時計手段）
３５      変更履歴情報
【図１】
2007233451.tif 000003
【図２】
2007233451.tif 000004
【図３】
2007233451.tif 000005
【図４】
2007233451.tif 000006
【図５】
2007233451.tif 000007
【図６】
2007233451.tif 000008
【図７】
2007233451.tif 000009